(57)【要約】【課題】画像印刷販売装置において、ファイル形式に適した出力様式で容易に画像印刷を行うことができるようにする。【解決手段】本発明に係るプリントベンダー１によれば、記録媒体接続部１８により記録媒体が認識されると、記録媒体に記録されているファイルが取得され、取得されたファイルのファイル形式が判別され、ファイル形式別出力様式テーブル１７１から、判別されたファイル形式に応じたプリントスタイルが抽出され、抽出されたプリントスタイルの中から選択されたスタイルのフォーマットで画像データ及び出力データを配置してプリント出力する。【選択図】  図２
2004272536.tif 000002
【特許請求の範囲】
【請求項１】
画像を印刷して販売する画像印刷販売装置において、
各種ファイル形式とそのファイル形式に応じた出力様式とを対応付けて記憶する記憶手段と、
外部の画像記録装置から画像データを含むファイルを取得する取得手段と、
前記取得手段により取得されたファイルのファイル形式を判別する判別手段と、
前記判別手段により判別されたファイル形式に応じた出力様式を前記記憶手段から抽出する抽出手段と、
前記抽出手段により抽出された出力様式により前記ファイルを印刷する印刷手段と、
を備えたことを特徴とする画像印刷販売装置。
【請求項２】
前記記憶手段は、前記各出力様式に、更に下位の複数種類の出力様式を対応付けて記憶し、
前記抽出手段は、前記判別手段により判別されたファイル形式に応じた前記下位の複数種類の出力様式を抽出し、
前記抽出された下位の複数種類の出力様式の何れかを任意に選択する様式選択手段を備え、
前記印刷手段は、前記選択された出力様式により前記ファイルを印刷することを特徴とする請求項１に記載の画像印刷販売装置。
【請求項３】
前記記憶手段に記憶されている出力様式には、前記ファイルにおいて前記画像データに対応付けて記録され、画像データとともに印刷する出力データに関する情報が含まれ、
前記抽出手段は、前記ファイルのファイル形式に応じた出力様式を抽出するとともに、前記ファイルにおいて画像データと共に対応付けて記録されているデータから前記出力データを抽出し、
前記印刷手段は、前記抽出又は指定された出力様式により前記画像データ及び出力データを印刷することを特徴とする請求項１又は２に記載の画像印刷販売装置。
【請求項４】
前記記憶手段に記憶された出力様式には、複数のファイルを１頁内に配置するように規定した様式が含まれることを特徴とする請求項１〜３の何れか一項に記載の画像印刷販売装置。
【請求項５】
前記取得手段により同一ファイル形式のファイルが複数取得された場合に、各ファイルの印刷時における配置順を任意に指定する画像順指定手段を備えたことを特徴とする請求項４に記載の画像印刷販売装置。
【請求項６】
画像を印刷して販売する画像印刷販売装置を制御するためのコンピュータに、各種ファイル形式とそのファイル形式に応じた出力様式とを対応付けて記憶手段に記憶させる機能と、
外部の画像記録装置から画像データを含むファイル取得する機能と、
前記取得されたファイルのファイル形式を判別する機能と、
前記判別されたファイル形式に応じた出力様式を前記記憶手段から抽出する機能と、
前記抽出された出力様式により前記ファイルを印刷する機能と、
を実現させるためのプログラム。
【発明の詳細な説明】
【０００１】
【発明の属する技術分野】
本発明は、デジタルカメラ、カメラ付き携帯電話機等の画像記録装置から供給された画像データを含むファイルをそのファイル形式に応じた出力様式で印刷して販売する画像印刷販売装置及びプログラムに関する。
【０００２】
【従来の技術】
近年、街角や建物内に配置され、画像を記録したメモリカード等の記録媒体から画像を読み込んで編集加工も可能とし、有料にて画像印刷するようにした画像印刷販売装置（以下、プリントベンダーとも呼ぶ）によって、デジタルカメラ等により記録された画像データを手軽に写真印刷できるようになっている。即ち、プリントベンダーにおいては、メモリカード等の記録媒体から画像ファイルを読み込み、表示装置に各種プリント指定情報の入力画面を表示し、表示された画面から印刷したい画像やプリントスタイル、枚数等が入力されると、入力された指定情報に基づいて写真印刷する。
【０００３】
例えば、特許文献１には、所望する印刷対象画像の選択や印刷サイズの指定、画質指定を顧客所有の端末装置を利用して自宅等で行うことができる画像印刷販売装置が開示されている。
【０００４】
【特許文献１】
特開２００１−１４８０６８号公報
【０００５】
【発明が解決しようとする課題】
しかしながら、画像印刷販売装置において画像ファイルを印刷する場合、どのような出力様式が最適かを探しだす必要があり、煩雑であった。特に、画像、動画が添付されたメール等、画像データと文字データが混在するファイルをプリントする場合、文字位置を適切に配置することは困難であった。
【０００６】
本発明の課題は、画像印刷販売装置において、ファイル形式に適した出力様式で容易に画像印刷を行うことができるようにすることである。
【０００７】
【課題を解決するための手段】
上記課題を解決するため、請求項１に記載の発明は、
画像を印刷して販売する画像印刷販売装置において、
各種ファイル形式とそのファイル形式に応じた出力様式とを対応付けて記憶する記憶手段と、
外部の画像記録装置から画像データを含むファイルを取得する取得手段と、
前記取得手段により取得されたファイルのファイル形式を判別する判別手段と、
前記判別手段により判別されたファイル形式に応じた出力様式を前記記憶手段から抽出する抽出手段と、
前記抽出手段により抽出された出力様式により前記ファイルを印刷する印刷手段と、
を備えたことを特徴としている。
【０００８】
請求項６に記載の発明は、
画像を印刷して販売する画像印刷販売装置を制御するためのコンピュータに、
各種ファイル形式とそのファイル形式に応じた出力様式とを対応付けて記憶手段に記憶させる機能と、
外部の画像記録装置から画像データを含むファイル取得する機能と、
前記取得されたファイルのファイル形式を判別する機能と、
前記判別されたファイル形式に応じた出力様式を前記記憶手段から抽出する機能と、
前記抽出された出力様式により前記ファイルを印刷する機能と、
を実現させるためのプログラムであることを特徴としている。
【０００９】
請求項１、６に記載の発明によれば、各種ファイル形式とそのファイル形式に応じた出力様式とを対応付けて記憶手段に記憶し、外部の画像記録装置から画像データを含むファイルを取得し、取得されたファイルのファイル形式を判別し、判別されたファイル形式に応じた出力様式を記憶手段から抽出し、抽出された出力様式に基づいて取得されたファイルを印刷する。従って、画像記録装置から取得されたファイルを、そのファイル形式に最適な出力様式で容易に画像印刷を行うことができる。
【００１０】
【発明の実施の形態】
以下、図を参照して本発明の実施の形態を詳細に説明する。
まず、構成を説明する。
図１に、本発明の全体構成及び本発明に係るプリントベンダー１の外観を示す。図１に示すように、プリントベンダー１には、操作パネル１１ａ、表示パネル１２ａ、端末接続部１４ａ、金銭投入口１５ａ、金銭返却口１５ｂ、印刷物取出口１６ａ、記録媒体挿入口１８ａ〜１８ｄが設けられている。
【００１１】
プリントベンダー１は、例えば、写真店や街角等に設置され、記録媒体挿入口１８ａ〜１８ｄに挿入された記録媒体３を介してデジタルカメラ、カメラ付き携帯電話機、ＰＣ（Ｐｅｒｓｏｎａｌ  Ｃｏｍｐｕｔｅｒ）、ＰＤＡ（Ｐｅｒｓｏｎａｌ  Ｄｉｇｉｔａｌ  Ａｓｓｉｓｔａｎｔｓ）等の、画像データを含むファイルを記録した画像記録装置２からファイルを取得して、指定された画像を指定されたスタイルで指定された枚数分写真プリントして出力する画像印刷販売装置である。画像記録装置２からのファイルの取込みは、端末接続部１４ａに接続された通信ケーブルを介して行うようにしてもよい。
【００１２】
図２にプリントベンダー１の機能的構成を示す。図２に示すように、プリントベンダー１は、ＣＰＵ１０、入力装置１１、表示装置１２、ＲＡＭ１３、伝送制御部１４、金銭授受装置１５、印刷装置１６、記録装置１７、記録媒体接続部１８等により構成され、各部はバス１９により接続されている。
【００１３】
ＣＰＵ（Ｃｅｎｔｒａｌ  Ｐｒｏｃｅｓｓｉｎｇ  Ｕｎｉｔ）１０は、記録装置１７に記憶されているシステムプログラムを読み出し、ＲＡＭ１３内に形成されたワークエリアに展開し、該システムプログラムに従って各部を制御する。また、ＣＰＵ１０は、記録装置１７に記憶されているプリント販売処理プログラムを始めとする各種処理プログラムを読み出してワークメモリに展開し、後述するプリント販売処理等を始めとする各種処理を実行し、それらの処理結果をＲＡＭ１３のワークエリアに記憶する。そして、ワークエリアに格納した処理結果を記録装置１７内の指定の保存先に保存させる。
【００１４】
入力装置１１は、ＬＣＤ（Ｌｉｑｕｉｄ  Ｃｒｙｓｔａｌ  Ｄｉｓｐｌａｙ）から成る操作パネル１１ａ等により構成され、ＣＰＵ１０から入力される表示信号の指示に従って表示画面上に、表示装置１２に表示された各種選択画面に応じた各種操作ボタンの表示を行う。ＬＣＤの表示画面上は、透明電極を格子状に配置して構成された感圧式（抵抗膜圧式）のタッチパネルに覆われており、手指やタッチペン等で押下された力点のＸＹ座標を電圧値で検出し、検出された位置信号を操作信号としてＣＰＵ１０に出力する。
【００１５】
表示装置１２は、ＬＣＤ（Ｌｉｑｕｉｄ  Ｃｒｙｓｔａｌ  Ｄｉｓｐｌａｙ）等からなる表示パネル１２ａにより構成され、ＣＰＵ１０から入力される表示信号の指示に従って、表示パネル１２ａの画面上に、プリントスタイル選択画面、プリントサンプル画面、プリント画面等を始めとする各種画面を表示する。
【００１６】
ＲＡＭ（Ｒａｎｄｏｍ  Ａｃｃｅｓｓ  Ｍｅｍｏｒｙ）１３は、ＣＰＵ１０により実行されるシステムプログラム、各種処理プログラム、各処理において処理中のデータ、処理結果などを一時的に記憶するワークエリアを形成する。
【００１７】
伝送制御部１４は、端末接続部１４ａに差し込まれた通信ケーブルにより画像記録装置との間でデータ送受信を行い、受信データをＣＰＵ１０に出力する。
【００１８】
金銭授受装置１５は、画像記録装置２から指定されたプリントスタイルやプリント枚数に基づいて料金を算出する。また、金銭投入口１５ａから投入された金額や偽造を判定し、料金と投入金額に基づいて返金額を算出し、その返金額に相当するつり銭を金銭返却口１５ｂから返却する。また、計算された料金、投入金額、返金額のデータをＣＰＵ１０に出力する。
【００１９】
印刷装置１６は、単数あるいは複数のプリンタを備え、伝送制御部１４を介して、或いは記録媒体接続部１８を介して入力されたファイルとその出力様式に応じて変調した光ビームで感光材料（印画紙、シール）を走査露光して潜像を記録し、露光済みの感光材料に湿式の現像処理や乾燥処理を施して、仕上がりプリントとしてプリント受取口１６ａに出力する。また、印刷装置１６には、レシートを印刷するレシート印刷用紙が含まれる。
【００２０】
記録装置１７は、プリントベンダー１に対応するシステムプログラム、プリント販売処理プログラムを始めとする各種処理プログラム、各種データ等が予め記憶されており、この記録装置１７は、磁気的、光学的記録媒体、若しくは半導体メモリなどＣＰＵ１０で読取り可能な記録媒体を含んだ構成である。この記録媒体はＣＤ−ＲＯＭ（Ｃｏｍｐａｃｔ  Ｄｉｓｃ  Ｒｅａｄ  Ｏｎｌｙ  Ｍｅｍｏｒｙ）、メモリカード等の可搬型の媒体やハードディスク等の固定的な媒体を含む。また、プリントベンダー１をモデム、ＴＡ（Ｔｅｒｍｉｎａｌ  Ａｄａｐｔｅｒ）やルータ等により構成される通信制御部を備える構成とし、記録媒体に格納するプログラム、データ等の一部若しくは全部をサーバやクライアントからＷＡＮ（Ｗｉｄｅ  Ａｒｅａ  Ｎｅｔｗｏｒｋ）、ＬＡＮ（Ｌｏｃａｌ  Ａｒｅａ  Ｎｅｔｗｏｒｋ）などのネットワークを介して受信する構成にしてもよく、更に、記録媒体はネットワーク上に構築されたサーバやクライアントの記録媒体であってもよい。
【００２１】
本実施の形態において、記録装置１７は、記憶手段として、図２に示すように、ファイル形式別出力様式テーブル１７１を格納している。
図３に、ファイル形式別出力様式テーブル１７１のデータ格納例を示す。図３に示すように、ファイル形式別出力様式テーブル１７１はファイル形式毎（例えば、ｖＭｅｓｓａｇｅ、ｖＣａｒｄ、・・・）に、そのファイル形式に応じた出力様式（例えば、プリントスタイルＡ、プリントスタイルＢ、・・・）とその出力様式に関する詳細情報（出力様式の更に下位に位置する複数の出力様式における画像位置、画像サイズ、文字位置、文字サイズ等を規定するフォーマット情報（例えば、スタイルＡ−１フォーマット、スタイルＡ−２フォーマット、・・・）、ファイルからプリントする画像データ及び画像以外の出力データ（文字、記号等）を抽出する抽出方法を規定するプリントデータ情報、出力データのコードや書式を規定するプリントデータ書式情報等）が対応付けて記憶されている。
【００２２】
図４に、ファイル形式がｖＭｅｓｓａｇｅのときに出力可能な出力様式であるプリントスタイルＡに関する詳細情報の例を示す。図５に、ファイル形式がｖＣａｒｄのときに出力可能な出力様式であるプリントスタイルＢに関する詳細情報の例を示す。図６に、ファイル形式がＥｘｉｆのときに出力可能な出力様式であるプリントスタイルＣに関する詳細情報の例を示す。図７に、ファイル形式がａｍｃのときに出力可能な出力様式であるプリントスタイルＤに関する詳細情報の例を示す。各図の（ａ）はフォーマット情報を、（ｂ）はプリントデータ情報を、（ｃ）はプリントデータ書式情報である。このように、ファイル形式別出力様式テーブル１７１は、各ファイル形式に応じた出力様式に関する情報を記憶している。
【００２３】
記録媒体接続部１８は、例えば、フラッシュメモリカードの挿入口１８ａ、スマートメディアカードの挿入口１８ｂ、メモリースティックの挿入口１８ｃ、フロッピー（登録商標）ディスクの挿入口１８ｄの各挿入口に挿入された可搬型記録媒体とデータの入出力を行うためのインターフェースである。なお、記録媒体としては、上述したものに限定されず、例えば、ＳＤカード（Ｓｅｃｕｒｅ  Ｄｉｇｉｔａｌ  ｍｅｍｏｒｙ  ｃａｒｄ）、ＰＣカード、ＭＯ（ｍａｇｎｅｔｏ−ｏｐｔｉｃ）等を装着可能な構成としてもよい。
【００２４】
次に、本実施の形態の動作を説明する。
図８に、ＣＰＵ１０により実行されるプリント販売処理を示す。
【００２５】
表示装置１２に待ち受け画面であるＴＯＰ画面が表示され（ステップＳ１）、記録媒体接続部１８により記録媒体３が認識されるまで待機する（ステップＳ２）記録媒体接続部１８により記録媒体３が認識されると（ステップＳ２；ＹＥＳ）、記録媒体３に記録されているファイルが取得され、そのファイル形式が判別される（ステップＳ３）。次いで、ファイル形式別出力様式テーブル１７１から、判別されたファイル形式に応じたプリントスタイルが抽出され、抽出されたプリントスタイルから所望のプリントスタイルを選択するためのプリントスタイル選択画面が表示装置１２に表示される（ステップＳ４）。このプリントスタイル選択画面からプリントスタイルＡが選択されると（ステップＳ５；ＹＥＳ）、プリントスタイルＡ処理が実行される（ステップＳ６）。プリントスタイルＡが選択されず（ステップＳ５；ＮＯ）、プリントスタイルＢが選択されると（ステップＳ７；ＹＥＳ）、プリントスタイルＢ処理が実行される（ステップＳ８）。プリントスタイルＢが選択されず（ステップＳ７；ＮＯ）、プリントスタイルＣが選択されると（ステップＳ９；ＹＥＳ）、プリントスタイルＣ処理が実行される（ステップＳ１０）。ステップＳ９においてプリントスタイルＣが選択されない場合は（ステップＳ９；ＮＯ）、プリントスタイルＤ処理が実行される（ステップＳ１１）。そして、プリントスタイルＡ〜Ｄの何れかの処理を実行後、後述するプリント処理が行われる（ステップＳ１２）。
【００２６】
ここで、本実施の形態においては、ｖＭｅｓｓａｇｅ形式にはプリントスタイルＡが、ｖＣａｒｄ形式にはプリントスタイルＢが、Ｅｘｉｆ形式にはプリントスタイルＣが、ａｍｃ形式にはプリントスタイルＤが対応付けられている。
【００２７】
図９に、プリントスタイル選択画面１２１の一例を示す。図９に示すように、プリントスタイル選択画面１２１には、記録媒体３から取得されたファイルのファイル形式に応じたプリントスタイルのプリントイメージ図が表示され、プリントイメージ図が表示されたプリントスタイルから所望のプリントスタイルが選択可能となっている。図９では、プリントスタイルＡ〜Ｄが選択可能であることを示している。
【００２８】
図１０に、プリントスタイルＡ処理を示す。
まず、表示装置１２に、プリントスタイルＡのプリントサンプル選択画面が表示される（ステップＳ１０１）。このプリントサンプル選択画面は、ファイル形式別出力様式テーブル１７１からプリントスタイルＡに応じた複数種類のスタイル（出力様式）を抽出してスタイルのプリントサンプル（イメージ図）を表示することにより、ユーザが、出力可能なスタイルを確認し、所望のスタイルを選択するための画面である。プリントスタイルＡには、例えば図４（ａ）に示すスタイルがある。図４（ａ）に示すように、プリントベンダー１で出力可能なスタイルには、複数ファイルの画像を１枚に配置するフォーマットが含まれる。
【００２９】
図１１に、プリントサンプル選択画面１２２の一例を示す。図１１に示すように、プリントサンプル選択画面１２２には、プリントスタイルＡのプリントサンプルと、縦／横スタイル選択領域１２２ａと、前ページボタン１２２ｂと、後ページボタン１２２ｃと、が表示されている。
【００３０】
このプリントサンプル選択画面から縦／横のスタイルが選択されると（ステップＳ１０２；ＹＥＳ）、ファイル形式別出力様式テーブル１７１から、選択された縦／横スタイル指定に応じたスタイルのフォーマットが抽出され、画面上のプリントサンプルのイメージに反映されて（ステップＳ１０３）、プリントサンプル選択画面が表示される（ステップＳ１０１）。プリントサンプル選択画面からページボタンが押下されてページ選択がなされると（ステップＳ１０４；ＹＥＳ）、ページボタンの押下に応じてページが＋／−に移行し（ステップＳ１０５）、指定されたページに応じたプリントサンプル選択画面が表示される（ステップＳ１０１）。なお、プリントスタイルＡで出力可能なスタイルが少なく、プリントサンプル選択画面の１頁内にプリントスタイルＡに応じたスタイルのプリントサンプル全てが表示可能である場合には、ページボタンは表示されない。ステップＳ１０１〜Ｓ１０５を繰り返し実行して所望のスタイルのプリントサンプルをプリントサンプル選択画面に表示させ、プリントサンプルが選択されると（ステップＳ１０６）、選択されたスタイルに基づいてプリント画面が表示される（ステップＳ１０７）。
【００３１】
ここで、プリント画面には、ファイル形式別出力様式テーブル１７１に基づいて、取得されたｖＭｅｓｓｓａｇｅ形式ファイルの画像データ及び出力データを選択されたスタイルのフォーマット（画像位置、画像大きさ、文字位置、文字大きさ等）で配置した画像が出力イメージとして表示される。出力データは、ファイル形式別出力様式テーブル１７１のプリントデータ情報（図４（ｂ）参照）に基づいて、取得されたｖＭｅｓｓｓａｇｅ形式ファイルから抽出され、プリントデータ書式情報（図４（ｃ）参照）で定められた書式で画像として配置される。一つのｖＭｅｓｓｓａｇｅ形式ファイルに複数の画像データが添付されている場合には、画像の大きさを小さくして写真１（写真２、３・・・）の位置に納まるように配置される。
【００３２】
図１２にプリント画面１２３の一例を示す。図１２に示すように、プリント画面１２３には、選択されたスタイルでの画像データの出力イメージ、プリント枚数を指定するための＋ボタン１２３ａ、−ボタン１２３ｂ、画像順変更ボタン１２３ｃ、プリント紙選択領域１２３ｄ、とじしろ選択領域１２３ｅ、枚数クリアボタン１２３ｆ、料金表示領域１２３ｇ等が表示されている。
【００３３】
表示装置１２に表示されたプリント画面から画像順変更が指示されると（ステップＳ１０８；ＹＥＳ）、後述する画像順変更処理が実行される（ステップＳ１０９）。プリント紙が選択されると（ステップＳ１１０；ＹＥＳ）、選択された用紙（標準又はシール）形式が出力イメージに反映され（ステップＳ１１１）、プリント画面が表示される。とじしろの位置／順番が選択されると（ステップＳ１１２；ＹＥＳ）、選択されたとじしろの位置／順番が出力イメージに反映され（ステップＳ１１３）、プリント画面が表示される。プリント枚数が指定されると（ステップＳ１１４；ＹＥＳ）、指定されたプリント枚数が表示に反映され（ステップＳ１１５）、プリント画面が表示される。枚数クリアが指定されると（ステップＳ１１６；ＹＥＳ）、表示の枚数がクリアされて（ステップＳ１１７）、プリント画面が表示される。プリント画面から設定が指示されると（ステップＳ１１８；ＹＥＳ）、設定された内容でプリント指定情報が生成され（ステップＳ１１９）、処理は図８のステップＳ１２に移行する。
【００３４】
図１３に、画像順変更処理を示す。
表示装置１２に、印刷する画像を順番に並べた画像順変更画面が表示され（ステップ２０１）、順番を変更する画像が選択されて前／後が指示されると（ステップＳ２０２；ＹＥＳ）、選択された画像の位置が前／後の指示に応じた順番にくるように画面が反映されて（ステップＳ２０３）、画像順変更画面が表示される。画像順変更画面からページボタンが押下されてページ選択がなされると（ステップＳ２０４；ＹＥＳ）、ページボタンの押下に応じてページが＋／−に移行し（ステップＳ２０５）、指定されたページに応じた画像順変更画面表示される。なお、記録媒体３に記録されたｖＭｅｓｓａｇｅ形式のファイル数が少なく、画像順変更画面の１頁内に全ての画像が表示可能である場合には、ページボタンは表示されない。画像順変更画面から選択クリアが指示されると（ステップＳ２０６；ＹＥＳ）、画像順変更画面の画像順がはじめに表示されていたデフォルト設定に変更され（ステップＳ２０７）、表示される。画像順変更画面から設定が指示されると（ステップＳ２０８；ＹＥＳ）、処理は図１０のステップＳ１０７に移行する。
【００３５】
図１４に、プリントスタイルＢ処理を示す。
まず、表示装置１２に、プリントスタイルＢのプリントサンプル選択画面（例えば、図１１参照）が表示される（ステップＳ１２１）。このプリントサンプル選択画面は、ファイル形式別出力様式テーブル１７１からプリントスタイルＢに応じた複数種類のスタイル（出力様式）を抽出してそのスタイルのプリントサンプルを表示することにより、ユーザが、出力可能なスタイルを確認し、所望のスタイルを選択するための画面である。プリントスタイルＢには、例えば図５（ａ）に示すスタイルがある。図５（ａ）に示すように、プリントベンダー１で出力可能なスタイルには、複数ファイルの画像を１枚に配置するフォーマットが含まれる。
【００３６】
このプリントサンプル選択画面から縦／横のスタイルが選択されると（ステップＳ１２２；ＹＥＳ）、ファイル形式別出力様式テーブル１７１から、選択された縦／横スタイル指定に応じたスタイルのフォーマットが抽出され、画面上のプリントサンプルのイメージに反映されて（ステップＳ１２３）、プリントサンプル選択画面が表示される（ステップＳ１２１）。プリントサンプル選択画面からページボタンが押下されてページ選択がなされると（ステップＳ１２４；ＹＥＳ）、ページボタンの押下に応じてページが＋／−に移行し（ステップＳ１２５）、指定されたページに応じたプリントサンプル選択画面が表示される（ステップＳ１２１）。なお、プリントスタイルＢで出力可能なスタイルが少なく、プリントサンプル選択画面の１頁内にプリントスタイルＢに応じたスタイルのプリントサンプル全てが表示可能である場合には、ページボタンは表示されない。ステップＳ１２１〜Ｓ１２５を繰り返し実行して所望のスタイルのプリントサンプルをプリントサンプル選択画面に表示させ、プリントサンプルが選択されると（ステップＳ１２６）、選択されたスタイルに基づいてプリント画面（例えば、図１２参照）が表示される（ステップＳ１２７）。
【００３７】
ここで、プリント画面には、ファイル形式別出力様式テーブル１７１に基づいて、取得されたｖＣａｒｄ形式ファイルの画像データ及び出力データを選択されたスタイルのフォーマット（画像位置、画像大きさ、文字位置、文字大きさ等）で配置した画像が出力イメージとして表示される。画像データ及び出力データは、ファイル形式別出力様式テーブル１７１のプリントデータ情報（図５（ｂ）参照）に基づいて、取得されたｖＣａｒｄ形式ファイルから抽出され、プリントデータ書式情報（図５（ｃ）参照）で定められた書式で画像として配置される。一つのｖＣａｒｄ形式ファイルに複数の画像データが添付されている場合には、画像の大きさを小さくして写真１（写真２、３・・・）の位置に納まるように配置される。
【００３８】
表示装置１２に表示されたプリント画面からアドレス順変更が指示されると（ステップＳ１２８；ＹＥＳ）、後述するアドレス順変更処理が実行される（ステップＳ１２９）。プリント紙が選択されると（ステップＳ１３０；ＹＥＳ）、選択された用紙（標準又はシール）形式が出力イメージに反映され（ステップＳ１３１）、プリント画面が表示される。とじしろの位置／順番が選択されると（ステップＳ１３２；ＹＥＳ）、選択されたとじしろの位置／順番が出力イメージに反映され（ステップＳ１３３）、プリント画面が表示される。プリント枚数が指定されると（ステップＳ１３４；ＹＥＳ）、指定されたプリント枚数が表示に反映され（ステップＳ１３５）、プリント画面が表示される。枚数クリアが指定されると（ステップＳ１３６；ＹＥＳ）、表示の枚数がクリアされて（ステップＳ１３７）、プリント画面が表示される。プリント画面から設定が指示されると（ステップＳ１３８；ＹＥＳ）、設定された内容でプリント指定情報が生成され（ステップＳ１３９）、処理は図８のステップＳ１２に移行する。
【００３９】
図１５に、アドレス順変更処理を示す。
表示装置１２に、印刷する画像及びファイル名を順番に並べて表示したアドレス順変更画面が表示され（ステップ２１１）、アドレスのソート順（例えば番号（登録した携帯端末が各アドレスにユニークに定めた番号）昇順・降順、グループ（登録した携帯端末で設定されたグループ）昇順・降順、名前昇順・降順、ヨミ昇順・降順等）が選択されると（ステップＳ２１２；ＹＥＳ）、アドレスが指定された順にソートされ（ステップＳ２１３）、アドレス順変更画面が表示される（ステップＳ２１１）。または、順番を変更する画像が選択されて前／後が指示されると（ステップＳ２１４；ＹＥＳ）、選択された画像の位置が前／後の指示に応じた順番にくるように画面が反映されて（ステップＳ２１５）、アドレス順変更画面が表示される。アドレス順変更画面からページボタンが押下されてページ選択がなされると（ステップＳ２１６；ＹＥＳ）、ページボタンの押下に応じてページが＋／−に移行し（ステップＳ２１７）、指定されたページに応じたアドレス順変更画面表示される。なお、記録媒体３に記録されたｖＣａｒｄ形式のファイル数が少なく、アドレス順変更画面の１頁内に全てのファイルの画像が表示可能である場合には、ページボタンは表示されない。アドレス順変更画面から選択クリアが指示されると（ステップＳ２１８；ＹＥＳ）、アドレス順変更画面のアドレス像順がはじめに表示されていたデフォルト設定に変更され（ステップＳ２１９）、表示される。アドレス順変更画面から設定が指示されると（ステップＳ２２０；ＹＥＳ）、処理は図１４のステップＳ１２７に移行する。
【００４０】
図１６に、プリントスタイルＣ処理を示す。
まず、表示装置１２に、プリントスタイルＣのプリントサンプル選択画面（例えば、図１１参照）が表示される（ステップＳ１４１）。このプリントサンプル選択画面は、ファイル形式別出力様式テーブル１７１からプリントスタイルＣに応じた複数種類のスタイル（出力様式）を抽出してそのスタイルのプリントサンプルを表示することにより、ユーザが、出力可能なスタイルを確認し、所望のスタイルを選択するための画面である。プリントスタイルＣには、例えば図６（ａ）に示すスタイルがある。
【００４１】
このプリントサンプル選択画面から縦／横のスタイルが選択されると（ステップＳ１４２；ＹＥＳ）、ファイル形式別出力様式テーブル１７１から、選択された縦／横スタイル指定に応じたスタイルのフォーマットが抽出され、画面上のプリントサンプルのイメージに反映されて（ステップＳ１４３）、プリントサンプル選択画面が表示される（ステップＳ１４１）。プリントサンプル選択画面からページボタンが押下されてページ選択がなされると（ステップＳ１４４；ＹＥＳ）、ページボタンの押下に応じてページが＋／−に移行し（ステップＳ１４５）、指定されたページに応じたプリントサンプル選択画面が表示される（ステップＳ１４１）。なお、プリントスタイルＣで出力可能なスタイルが少なく、プリントサンプル選択画面の１頁内にプリントスタイルＣに応じたスタイルのプリントサンプル全てが表示可能である場合には、ページボタンは表示されない。ステップＳ１４１〜Ｓ１４５を繰り返し実行して所望のスタイルのプリントサンプルをプリントサンプル選択画面に表示させ、プリントサンプルが選択されると（ステップＳ１４６）、選択されたスタイルに基づいてプリント画面（例えば、図１２参照）が表示される（ステップＳ１４７）。
【００４２】
ここで、プリント画面には、ファイル形式別出力様式テーブル１７１に基づいて、取得されたＥｘｉｆ形式ファイルの画像データ及び出力データを選択されたスタイルのフォーマット（画像位置、画像大きさ、文字位置、文字大きさ等）で配置した画像が出力イメージとして表示される。画像データ及び出力データは、ファイル形式別出力様式テーブル１７１のプリントデータ情報（図６（ｂ）参照）に基づいて、取得されたＥｘｉｆ形式ファイル（画像データ及びタグ情報）から抽出され、プリントデータ書式情報（図６（ｃ）参照）で定められた書式で画像として配置される。
【００４３】
表示装置１２に表示されたプリント画面から画像順変更が指示されると（ステップＳ１４８；ＹＥＳ）、画像順変更処理（図１３参照）が実行される（ステップＳ１４９）。プリント紙が選択されると（ステップＳ１５０；ＹＥＳ）、選択された用紙（標準又はシール）形式が出力イメージに反映され（ステップＳ１５１）、プリント画面が表示される。とじしろの位置／順番が選択されると（ステップＳ１５２；ＹＥＳ）、選択されたとじしろの位置／順番が出力イメージに反映され（ステップＳ１５３）、プリント画面が表示される。プリント枚数が指定されると（ステップＳ１５４；ＹＥＳ）、指定されたプリント枚数が表示に反映され（ステップＳ１５５）、プリント画面が表示される。枚数クリアが指定されると（ステップＳ１５６；ＹＥＳ）、表示の枚数がクリアされて（ステップＳ１５７）、プリント画面が表示される。プリント画面から設定が指示されると（ステップＳ１５８；ＹＥＳ）、設定された内容でプリント指定情報が生成され（ステップＳ１５９）処理は図８のステップＳ１２に移行する。
【００４４】
図１７に、プリントスタイルＤ処理を示す。
まず、表示装置１２に、記録媒体３から取得された動画ファイル名を一覧として表示したムービー再生確認画面が表示される（ステップＳ１６１）。このムービー再生確認画面から再生するムービー（動画）が選択されると（ステップＳ１６２；ＹＥＳ）、選択されたムービーが再生され（ステップＳ１６３）、ムービー再生確認画面が表示される。ムービー再生確認画面からページボタンが押下されてページ選択がなされると（ステップＳ１６４；ＹＥＳ）、ページボタンの押下に応じてページが＋／−に移行し（ステップＳ１６５）、指定されたページに応じたムービー再生確認画面が表示される（ステップＳ１６１）。なお、記録媒体３に記録された動画ファイルが少なく、ムービー再生確認画面の１頁内に動画ファイルが表示可能である場合には、ページボタンは表示されない。ムービー再生確認画面から指定されたムービーの登録取り消しが指示されると（ステップＳ１６６）、指定されたムービーがムービー再生確認画面から消去されて（ステップＳ１６７）表示される。ムービー再生確認画面から設定が指示されるまでステップＳ１６１〜１６７が繰り返し実行され、設定が指示されると（ステップＳ１６８；ＹＥＳ）、プリントスタイルＤのプリントサンプル選択画面が表示される（ステップＳ１６９）。
【００４５】
このプリントサンプル選択画面は、ファイル形式別出力様式テーブル１７１からプリントスタイルＤに応じた複数種類のスタイル（出力様式）を抽出してそのスタイルのプリントサンプルを表示することにより、ユーザが、出力可能なスタイルを確認し、所望のスタイルを選択するための画面である。プリントスタイルＤには、例えば図７（ａ）に示すスタイルがある。
【００４６】
プリントサンプル選択画面から縦／横のスタイルが選択されると（ステップＳ１７０；ＹＥＳ）、ファイル形式別出力様式テーブル１７１から、選択された縦／横スタイル指定に応じたスタイルのフォーマットが抽出され、画面上のプリントサンプルのイメージに反映されて（ステップＳ１７１）、プリントサンプル選択画面が表示される（ステップＳ１６９）。プリントサンプル選択画面からページボタンが押下されてページ選択がなされると（ステップＳ１７２；ＹＥＳ）、ページボタンの押下に応じてページが＋／−に移行し（ステップＳ１７３）、指定されたページに応じたプリントサンプル選択画面が表示される（ステップＳ１６９）。なお、プリントスタイルＤで出力可能なスタイルが少なく、プリントサンプル選択画面の１頁内にプリントスタイルＤに応じたプリントサンプル全てが表示可能である場合には、ページボタンは表示されない。ステップＳ１６９〜Ｓ１７３を繰り返し実行して所望のスタイルのプリントサンプルをプリントサンプル選択画面に表示させ、プリントサンプルが選択されると（ステップＳ１７４）、選択されたスタイルに基づいてプリント画面（例えば、図１２参照）が表示される（ステップＳ１７５）。
【００４７】
ここで、プリント画面には、ファイル形式別出力様式テーブル１７１に基づいて、取得されたａｍｃ形式ファイルの画像データ（動画データから所定時間毎に抽出した画像データ及び出力データ）及び出力データを選択されたスタイルのフォーマット（画像位置、画像大きさ、文字位置、文字大きさ等）で配置した画像が出力イメージとして表示される。画像データ及び出力データは、ファイル形式別出力様式テーブル１７１のプリントデータ情報（図７（ｂ）参照）に基づいて、取得されたａｍｃ形式ファイルから抽出され、プリントデータ書式情報（図７（ｃ）参照）で定められた書式で画像として配置される。
【００４８】
表示装置１２に表示されたプリント画面から画像順変更が指示されると（ステップＳ１７６；ＹＥＳ）、画像順変更処理（図１３参照）が実行される（ステップＳ１７７）。プリント紙が選択されると（ステップＳ１７８；ＹＥＳ）、選択された用紙（標準又はシール）形式が出力イメージに反映され（ステップＳ１７９）、プリント画面が表示される。とじしろの位置／順番が選択されると（ステップＳ１８０；ＹＥＳ）、選択されたとじしろの位置／順番が出力イメージに反映され（ステップＳ１８１）、プリント画面が表示される。プリント枚数が指定されると（ステップＳ１８２；ＹＥＳ）、指定されたプリント枚数が表示に反映され（ステップＳ１８３）、プリント画面が表示される。枚数クリアが指定されると（ステップＳ１８４；ＹＥＳ）、表示の枚数がクリアされて（ステップＳ１８５）、プリント画面が表示される。プリント画面から設定が指示されると（ステップＳ１８６；ＹＥＳ）、設定された内容でプリント指定情報が生成され（ステップＳ１８７）、処理は図８のステップＳ１２に移行する。
【００４９】
図１４に、プリント処理を示す。
まず、表示装置１２に、プリント内容に応じた料金精算画面が表示され（ステップＳ１９１）、所定の投入金額が投入されたことが金銭授受装置１５により確認されるのを待機する（ステップＳ１９２）。所定の投入金額が投入されると（ステップＳ１９２；ＹＥＳ）、プリント状況を表示するプリント処理画面が表示される（ステップＳ１９３）。そして、印刷装置１６によりプリント指定情報に基づいてファイルの画像形成が行われ、プリントが出力される（ステップＳ１９４）。印刷装置１６のプリントの終了が確認されると（ステップＳ１９５；ＹＥＳ）、プリント終了画面が表示される（ステップＳ１９６）。プリント終了画面からレシート発行が指示されると（ステップＳ１９７：ＹＥＳ）、レシートが発行される（ステップ１９８）。プリント終了画面からプリント継続が指示されると（ステップＳ１９９；ＹＥＳ）、処理は図８のステップＳ４に移行する。プリント終了画面表示が所定時間表示されると（ステップＳ２００；ＹＥＳ）、プリント処理及び図８のプリント販売処理は終了する。
【００５０】
以上説明したように、プリントベンダー１によれば、記録媒体接続部１８により記録媒体３が認識されると、記録媒体３に記録されているファイルが取得され、取得されたファイルのファイル形式が判別され、ファイル形式別出力様式テーブル１７１から、判別されたファイル形式に応じたプリントスタイルがプリントスタイル選択画面に表示される。プリントスタイルが選択されると、選択されたプリントスタイルで出力可能なスタイルが抽出され、抽出されたスタイルのプリントサンプルがプリントサンプル選択画面に表示される。プリントサンプルが選択されると、ファイル形式に応じて印刷する画像データや出力データが抽出され、選択されたスタイルに応じた出力イメージがプリント画面に表示され、プリント画面から画像順、プリント紙、とじしろ、枚数等の情報が指定されると、指定された情報に基づいてプリントが出力される。
【００５１】
従って、画像記録装置から取得されたデータを、そのファイル形式に応じた最適な出力様式で、容易に印刷することができる。各ファイル形式には複数の出力様式が設定されているので、その中からユーザが所望の出力様式を選択することもできる。また、特に、カメラ付き携帯電話機等の画像、動画が添付されたメール等、画像と文字が混在するファイルをプリントする場合に、ファイル形式に応じてファイル中の画像、文字を抽出・配置して表示、プリントするので、従来のように煩雑な操作をすることなく、画像、文字を合わせたプリントを容易に作成して印刷することができる。
【００５２】
なお、上記実施の形態における記述内容は、本実施の形態における好適な一例であり、これに限定されるものではない。
例えば、本実施の形態においては、画像記録装置２からのデータは、記録媒体３を介してプリントベンダー１に供給されることとしたが、これに限定されず、例えば、ＵＳＢケーブルを利用した有線接続、コネクタ接続、微弱無線や赤外線等を利用した無線通信により行う構成としてもよい。
【００５３】
また、上記実施の形態において説明したファイル形式とその出力様式は一例であり、これに限定されない。例えば、プリントスタイルＣをｖＣａｌｅｎｄｅｒやｖＮｏｔｅなどのファイル形式に適用すると、プライベートなカレンダーや絵日記等簡単にオリジナルのプリントが作成、印刷できるようになる。
【００５４】
その他、プリントベンダー１の細部構成及び細部動作に関しても、本発明の趣旨を逸脱することのない範囲で適宜変更可能である。
【００５５】
【発明の効果】
本発明によれば、画像印刷販売装置において、ファイル形式に適した出力様式で容易に画像印刷を行うことができる。
【図面の簡単な説明】
【図１】本発明の一実施の形態における全体構成及び本発明に係るプリントベンダー１の外観を示す図である。
【図２】図１のプリントベンダー１の機能的構成を示すブロック図である。
【図３】図２のファイル別出力様式テーブル１７１のデータ格納例を示す図である。
【図４】ｖＭｅｓｓａｇｅ形式のファイルに対応する出力様式及びその詳細情報の一例を示す図である。
【図５】ｖＣａｒｄ形式のファイルに対応する出力様式及びその詳細情報の一例を示す図である。
【図６】Ｅｘｉｆ形式のファイルに対応する出力様式及びその詳細情報の一例を示す図である。
【図７】ａｍｃ形式のファイルに対応する出力様式及びその詳細情報の一例を示す図である。
【図８】図２のＣＰＵ１０により実行されるプリント販売処理を示すフローチャートである。
【図９】図２の表示装置１２に表示されるプリントスタイル選択画面１２１の一例を示す図である。
【図１０】図２のＣＰＵ１０により実行されるプリントスタイルＡ処理を示すフローチャートである。
【図１１】図２の表示装置１２に表示されるプリントサンプル選択画面１２２の一例を示す図である。
【図１２】図２の表示装置１２に表示されるプリント画面１２３の一例を示す図である。
【図１３】図２のＣＰＵ１０により実行される画像順変更処理を示すフローチャートである。
【図１４】図２のＣＰＵ１０により実行されるプリントスタイルＢ処理を示すフローチャートである。
【図１５】図２のＣＰＵ１０により実行されるアドレス順変更処理を示すフローチャートである。
【図１６】図２のＣＰＵ１０により実行されるプリントスタイルＣ処理を示すフローチャートである。
【図１７】図２のＣＰＵ１０により実行されるプリントスタイルＤ処理を示すフローチャートである。
【図１８】図２のＣＰＵ１０により実行されプリント処理を示すフローチャートである。
【符号の説明】
１    プリントベンダー
２    画像記録装置
３    記録媒体
１０    ＣＰＵ
１１    入力装置
１２    表示装置
１３    ＲＡＭ
１４    伝送制御部
１５    金銭授受装置
１６    印刷装置
１７    記録装置
１８    記録媒体接続部
１９    バス
【図１】
2004272536.tif 000003
【図２】
2004272536.tif 000004
【図３】
2004272536.tif 000005
【図４】
2004272536.tif 000006
【図５】
2004272536.tif 000007
【図６】
2004272536.tif 000008
【図７】
2004272536.tif 000009
【図８】
2004272536.tif 000010
【図９】
2004272536.tif 000011
【図１０】
2004272536.tif 000012
【図１１】
2004272536.tif 000013
【図１２】
2004272536.tif 000014
【図１３】
2004272536.tif 000015
【図１４】
2004272536.tif 000016
【図１５】
2004272536.tif 000017
【図１６】
2004272536.tif 000018
【図１７】
2004272536.tif 000019
【図１８】
2004272536.tif 000020